(57)【要約】      （修正有）【課題】炭酸水によるボディケアを時と場所を選ぶことなく行うことが出来、かつ所要の時間炭酸水と肌との接触を図ることにより十分な量の炭酸を皮膚から浸透させるようにしたボディケア用サポーターを提供する。【解決手段】腕、脚或は肩等のボディケア部位を被覆する水密性を備えたボディケア用サポーター本体１からなり、本体の少なくとも一部をボディケア部位表面から離間させて、ボディケア部位表面との間に炭酸水を滞留保持し得る所要の容積の空間３を作出する炭酸水保持部２を有している。【選択図】図１
2017078240.tif 000002
【特許請求の範囲】
【請求項１】
腕、脚或は肩等のボディケア部位を被覆する水密性を備えたボディケア用サポーター本体からなり、該サポーター本体は、本体の少なくとも一部をボディケア部位表面から離間させて、ボディケア部位表面との間に炭酸水を滞留保持し得る所要の容積の空間を作出する炭酸水保持部を有していることを特徴とする炭酸水を利用したボディケア用サポーター。
【請求項２】
サポーター本体は、腕、脚等に装着し得る筒状の形態を有していることを特徴とする請求項１記載のボディケア用サポーター。
【請求項３】
サポーター本体は、肩を被覆し得る肩衣状若しくはＴシャツ状の形態を有していることを特徴とする請求項１記載のボディケア用サポーター。
【請求項４】
サポーター本体は、腰を被覆し得る形態を有していることを特徴とする請求項１又は３記載のボディケア用サポーター。
【請求項５】
サポーター本体は、足首と足に装着し得るブーツタイプの形態を有していることを特徴とする請求項１記載のボディケア用サポーター。
【請求項６】
サポーター本体は、炭酸水保持部の空間に滞留保持された炭酸水の漏出を防止するための密封部を有していることを特徴とする請求項１乃至５のいずれかに記載のボディケア用サポーター。
【請求項７】
炭酸水保持部には、内部に炭酸水を注入するための注入部と、炭酸水を排出するための排出部が設けられていることを特徴とする請求項１乃至６のいずれかに記載のボディケア用サポーター。
【発明の詳細な説明】
【技術分野】
【０００１】
本発明は、炭酸水を利用して血行促進、筋肉の疲労回復、打撲や捻挫の応急措置等のボディケアを行うためのボディケア用サポーターに関する。
【背景技術】
【０００２】
従来、筋肉の疲労回復、打撲や捻挫の処置は、被処置部位を氷やゲル状の蓄冷剤で冷却するいわゆるアイシング処置が通常行われている（特許文献１）。しかしながら、かかるアイシング処置は、被処置部の体温を極度に低下させ、血管の老化を招来するおそれがあると指摘されている。
【０００３】
真水に二酸化炭素が溶け込んだ炭酸水は、二酸化炭素が高い密度で存在し、二酸化炭素の分子自体が非常に小さいため、皮膚や胃腸の壁から浸透することが出来、浸透した炭酸が血管に入ると、血管の内壁を刺激し、血管拡張ホルモン「プロスタグラジンＥ２」が分泌され、血管が拡張されて血行が良くなると共に、血液中の酸素と二酸化炭素のバランスがくずれ、二酸化炭素の濃度が上昇するため、身体の細胞・組織は栄養や酸素がもっと多く必要との勘違い的な反応を起こし、細胞に栄養や酸素を送り込もうとする。このため、前記血管拡張と相まって栄養及び酸素の供給が促進される。従来、かかる炭酸による血行促進並びに栄養及び酸素の供給促進効果は、天然炭酸温泉の入浴効果として広く知られている。炭酸は、ガスの状態では皮膚のバリア機能に妨げられて皮膚から浸透することが出来ないが、水に溶けた状態とすることにより皮膚からの浸透が可能となる。炭酸による血行促進並びに栄養及び酸素の供給促進により、筋肉への良好な影響、骨折治癒の促進、疲労回復、打撲な捻挫の回復等が知られている。
【０００４】
従来、かかる炭酸による効果を享受する方法としては、前記天然炭酸温泉への入浴の他には、シャワーから噴出する湯水に炭酸ガスを混入してシャワーする方法（特許文献２）、若しくは炭酸水をスプレーで皮膚に直接噴霧する方法等が提案されている。しかしながら、天然炭酸温泉に入浴するには、天然温泉場に出かけなければならず、時間と場所が制限されている。又、シャワーやスプレーでは、炭酸水と肌との接触は一時的であるため、十分な量の炭酸を皮膚から浸透させることが出来なかった。
【先行技術文献】
【特許文献】
【０００５】
【特許文献１】特開２０１４−１８６３２号公報
【特許文献２】特開平１０−２３４６０６号公報
【発明の概要】
【発明が解決しようとする課題】
【０００６】
上記天然炭酸温泉への入浴は、皮膚からの炭酸の浸透は、充分に図ることは可能であるが、任意の場所で、任意の時間に利用することが出来なかった。又、シャワーする方法や、スプレーでは、炭酸が皮膚から浸透するのに必要とされる所要の時間（通常１０〜１５分程度）炭酸水を肌と接触させることが出来ないため、十分な量の炭酸を皮膚から浸透させることが出来なかった。
【０００７】
本発明は、従来の炭酸水によるボディケアに見られた欠点を解消し、時と場所を選ぶことなく使用することが出来、所要の時間炭酸水と肌との接触を図ることにより十分な量の炭酸を皮膚から浸透させるようにすることを課題とする。
【課題を解決するための手段】
【０００８】
上記課題を解決するために本発明が採った手段は、腕、脚或は肩等のボディケア部位を被覆する水密性を備えたボディケア用サポーター本体からなり、該サポーター本体は、本体の少なくとも一部をボディケア部位表面から離間させて、ボディケア部位表面との間に炭酸水を滞留保持し得る所要の容積の空間を作出する炭酸水保持部を有していることを特徴とする。
【０００９】
サポーター本体は、腕、脚等に装着し得る筒状の形態、肩を被覆し得る肩衣状若しくはＴシャツ状の形態、或は足首と足に装着し得るブーツタイプの形態、更には、肩から腰までを被覆し得るシャツ状の形態とする。尚、これらのサポーター本体の形態は、これらに限定されるものではなく、ボディケア部位を被覆し、内部に炭酸水を滞留保持させ得るものであれば良い。
【００１０】
ボディケア用サポーター本体の炭酸水保持部の空間に滞留保持された炭酸水は、密封部により本体からの漏出が防止される。密封部は、炭酸水保持部の周縁、若しくは本体の開口縁に設けられる水密性の密封手段から構成され、該密封手段は、例えば本体の内面に取り付けられる伸縮性と密封性を有するゴム紐状の密封部材、本体の外面に巻着されて本体を締め付けて肌に密着させるベルト状の締付部材、若しくは本体の開口縁を薄く柔軟な材質で構成し本体と肌との密着させる部材等からなる。尚、密封部は、これらに限定されるものではなく、滞留保持された炭酸水の漏出を防止し得るものであれば良い。
【００１１】
炭酸水保持部は、内部に炭酸水を注入するための注入部と、炭酸水を排出するための排出部とを設ける。注入部と排出部は、好ましくはキャップにより開閉自在とし、注入のための漏斗や、排水のための排水パイプの接続を可能とする。
【００１２】
炭酸水に代えて、水素水を利用することも可能である。水素は、二酸化炭素よりも分子が小さいため、皮膚から吸収されて浸透し体の隅々まで行き渡らせることが可能であり、活性酸素を取り除く効果を有している。又、乳酸を抑制したり代謝を促す作用もあり、疲労回復や、血管の拡張効果も期待することが出来る。水素が皮膚から浸透し、全身に巡り渡るには、約７分の時間を要するとされているので、本発明は炭酸水保持部の空間に炭酸水に代えて水素水を滞留保持させることが出来、水素水の利用にも好適である。
【発明の効果】
【００１３】
本発明は、人体の腕、脚或は肩等のボディケア部位の外面を被覆するサポーター本体と、ボディケア部位との間に空間を作出する炭酸水保持部とからなり、炭酸水保持部の空間に、所定量の炭酸水を滞留保持させることが出来るので、炭酸と皮膚との接触時間を十分に確保することが出来、必要かつ十分な量の炭酸を体内に浸透させることが可能となる。炭酸の皮膚への浸透により、血行を促進させて、疲労回復、打撲や捻挫の処置等を期待することが出来る。
【００１４】
サポーター本体は水密性を有し、開口縁は、密封状態が確保され、内部に保持された炭酸水の漏出が防止されているので、特別な防水対策を必要とせず、日常の生活状態で使用することが出来、浴場等の特定の場所での使用に限定されない。
【図面の簡単な説明】
【００１５】
【図１】実施例１の腕用のサポーターの使用状態を示す斜視図
【図２】同実施例１の腕用サポーターの外観図
【図３】同実施例１の腕用サポーターの展開図
【図４】同実施例１の腕用サポーターの密封部の一例を示す断面斜視図
【図５】同実施例１のふくらはぎ用サポーターの使用状態を示す斜視図
【図６】同実施例１の太もも用サポーターの使用状態を示す斜視図
【図７】同実施例１の膝用サポーターの使用状態を示す斜視図
【図８】同実施例１のサポーターに炭酸水を注入するための漏斗の外観図
【図９】同実施例１のサポーターから炭酸水を吐出するための排水用ホースの外観図
【図１０】実施例２の肩用サポーター（肩衣タイプ）の使用状態を示す斜視図
【図１１】同実施例２の肩衣タイプの肩用サポーターの展開図
【図１２】同実施例２の肩衣タイプの肩用サポーターの変形例を示す外観図
【図１３】同実施例２の肩衣タイプの肩用サポーターの変形例の展開図
【図１４】同実施例２の肩用サポーター（Ｔシャツタイプ）の使用状態を示す斜視図
【図１５】実施例３のＴシャツタイプの肩用サポーターの使用状態の側面図
【図１６】実施例４の肩・腰用サポーターの外観正面図
【図１７】同実施例４の肩・腰用サポーターの外観側面図
【図１８】実施例５の足・足首用サポーターの使用状態を示す斜視図
【図１９】同実施例５の足・足首用サポーターの外観斜視図
【発明を実施するための形態】
【００１６】
以下、本発明の実施の形態を図１〜図１９に基づいて説明する。
【実施例１】
【００１７】
図１〜図９は、腕・脚に挿入して使用する筒状の形態を有する実施例１を示し、図１〜図４は腕用サポーターを、図５はふくらはぎ用サポーターを、図６は太もも用サポーターを、図７は膝用サポーターをそれぞれ示す。
【００１８】
図１〜４を参照して、サポーター本体(１)は、肘を中心に前後に伸びる筒状の形態を有し、腕に挿着して、ボディケア部位である肘の前後を被覆して使用する。サポーター本体(１)は、その一部を外方に拡大して肘を含むボディケア部位の表面から離間させ、ボディケア部位表面との間に空間(３)を作出する炭酸水保持部(２)を有する。炭酸水保持部(２)で作出される空間(３)は、炭酸水を滞留保持し得る所要の容積、例えば２５０〜５００mlの容積を有している。
【００１９】
サポーター本体(１)は、水密性の材質で構成され、内部に炭酸水を滞留保持することが出来る。サポーター本体を構成する水密性の材質としては、内部に気泡を含むクロロブチレンゴム製のウェットスーツ用の生地が好適であるが、これに限られるものではない。クロロブチレン、シリコン等の防水性の生地や、内面にナイロン等の防水性のシートやフィルム等を積層した生地であっても良い。
【００２０】
サポータ本体(１)は、炭酸水保持部(２)により作出された空間(３)内に滞留保持された炭酸水の漏出を防止するための密封部(４)を備える。該密封部(４)は、サポーター本体(１)の開口縁(５)に近接した位置の内面に取り付けられる伸縮性と密封性を有するゴム紐状の密封部材(４a)、若しくは開口縁(５)の外面に巻着して本体を締め付けて肌に密着させる止着ファスナーを備えるベルト状の締付部材(４b)などからなる。ゴム紐状の密封材(４a)は、開口縁の内面のみならず、炭酸水保持部(２)の周縁に取り付けても良い。又、サポーター本体の開口縁を薄く柔軟な材質で構成し本体と肌とを密着させて、密封部としても良い。これらの密封部は、単独での使用に限定されるものではなく、組み合わせて使用することにより、より密封性を向上させることが出来る。又、密封部は、これらに限定されるものではなく、滞留保持された炭酸水の漏出を防止し得るものであれば、いかなる構造、部材であっても良い。
【００２１】
炭酸水保持部(２)には、好ましくは内部に炭酸水を注入することの出来る注入部(６)と、炭酸水を排出することの出来る排出部(７)を設ける。注入部(６)と排出部(７)は、キャップにより開閉自在である。注入部(６)からの炭酸水の注入に際しては、図８に示す漏斗(８)を注入部に挿着して注入を行うことにより容易に注入が出来る。又、排水に際しては、排水部(７)に図９に示すような排水パイプ(９)を連結して、排水を行うことにより、排水が身体や衣服にかかるのを回避することが出来る。尚、注入部や排水部を設けることなく、サポーター本体の開口縁を広げて隙間をつくり、隙間から直接注入し、或は排出しても良い。
【００２２】
図５はふくらはぎ用サポーター(10)を、図６は太もも用サポーター(11)を、図７は膝用サポーター(12)をそれぞれ示す。これらの脚用サポーターは、前記腕用サポーターと同様に脚に挿着し得る筒状の形態を有し、上下の開口縁の間を若干脚よりも太く形成して内部に炭酸水を滞留させ得る空間(３)を作出した炭酸水保持部(２)に形成する。密封部(４)、注入部(６)、排出部(７)等は前記図１に示すものと同様に設ける。
【実施例２】
【００２３】
図１０〜１４は、実施例２を示し、肩を被覆して肩部を炭酸水を利用してボディケアを行うための肩用サポーターである。図１０〜１３は、一方の肩を被覆し、反対側の脇の下に止着する肩衣タイプの形態を有する肩用サポーター(13)である。サポーター本体内部に空間(３)を作出する炭酸水保持部(２)は、肩から胸及び背の一部を被覆し、内部に空間(３)を作出する形態を有する。図１１に示すように、炭酸水保持部(２)の周縁、袖口の内面及び反対側の脇の下に延び出す延出部(14)の両側内面には、実施例１と同様に、ゴム紐状の密封材(４a)を止着する。また、袖口の外面には、ベルト状の密封材(４b)を取り付ける。図１３は、肩衣タイプの肩用サポーター(13)の一変形を示し、炭酸水保持部とは反対側の肩から炭酸水保持部側の脇の下に装着するようにしたものである。注入部(６)、排出部(７)は、実施例１と同様に設ける。
【００２４】
図１４、１５は、両方の肩を被覆するようにしたＴシャツタイプの肩用サポーター(15)である。炭酸水保持部(２)は、両方の肩を被覆するように形成され、内部に炭酸水を滞留保持し得る空間(３)が作出される。全体として胸の下までの短いＴシャツの形態を有しており、両袖口及び胸の下の開口縁の外面には、ベルト状の密封材(４b)が取り付けられ、内面及び炭酸水保持部の周縁には、ゴム紐状の密封材(４a)が配設される。また、炭酸水保持部(３)の上部には、注水部(６)が、脇の下には排水部(７)がそれぞれ設けられる。
【実施例３】
【００２５】
図１６、１７は、実施例３を示し、肩と共に腰を炭酸水でケアするための肩・腰用サポーターである。この実施例３のサポーターは、前記実施例２の両肩用サポーター(15)の下部を腰まで延出し、腰用のサポーター(16)を付加した構造である。両方の肩を個別に被覆する炭酸水保持部(２)と腰部を被覆する炭酸水保持部(２)とを備えており、それぞれの両肩の炭酸水保持部の周縁、腰用の炭酸水保持部(２)の上縁には、ゴム紐状の密封材(４a)が配設され、それぞれの炭酸水保持部に滞留保持された炭酸水の漏出が防止される。また、それぞれの炭酸水保持部には、注入部と排出部が個別に設けられ、個別に炭酸水の注入、排出が可能である。尚、この実施例３では、両肩用のサポーターに腰用のサポーターを付加した構造としたが、腰用のサポーターを分離独立した構造としても良いことは勿論である。
【実施例４】
【００２６】
図１８、１９は、実施例４を示し、足・足首用サポーター(17)である。脚・足首用サポーター(17)は、足をゆったりと入れることの出来る大きめのサイズを有し、足首まですっぽりと入るブーツタイプの形態を有する。全体がゆったりとしてサイズであり、足を入れたときに足のまわりに空間(３)が形成される。足首に近い位置に注入部(６)が設けられ、かかとの部分に排出部(７)が設けられる。また、足首部の上端には、ベルト状の密封材(４b)が配設される。  
【符号の説明】
【００２７】
(１)サポーター本体
(２)炭酸水保持部
(３)空間
(４)密封部
(４a)ゴム紐状の密封材
(４b)ベルト状の密封材
(５)開口縁
(６)注入部
(７)排出部
(８)漏斗
(９)排水パイプ
(10)ふくらはぎ用サポーター
(11)太もも用サポーター
(12)膝用サポーター
(13)肩衣タイプの肩用サポーター
(14)延出部
(15)Ｔシャツタイプの肩用サポーター
(16)腰用サポーター
(17)足・足首用サポーター
【図１】
2017078240.tif 000003
【図２】
2017078240.tif 000004
【図３】
2017078240.tif 000005
【図４】
2017078240.tif 000006
【図５】
2017078240.tif 000007
【図６】
2017078240.tif 000008
【図７】
2017078240.tif 000009
【図８】
2017078240.tif 000010
【図９】
2017078240.tif 000011
【図１０】
2017078240.tif 000012
【図１１】
2017078240.tif 000013
【図１２】
2017078240.tif 000014
【図１３】
2017078240.tif 000015
【図１４】
2017078240.tif 000016
【図１５】
2017078240.tif 000017
【図１６】
2017078240.tif 000018
【図１７】
2017078240.tif 000019
【図１８】
2017078240.tif 000020
【図１９】
2017078240.tif 000021